【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  複数の領域に分割された複数の光電変換素子と、
前記複数の領域内の光電変換素子の蓄積を開始させるための蓄積開始手段と、
前記各領域内の光電変換素子の蓄積状態を順番にモニタ出力させるモニタ手段と、
前記順番に出力されたモニタ出力を予め定められた値と比較することにより、該モニタ出力に対応した領域の光電変換素子の蓄積を終了させるべきか否かを判定する判定手段と、
前記判定手段により蓄積を終了させるべきであると判定されたときに、前記モニタ出力に対応した領域の光電変換素子の蓄積を終了させる蓄積終了手段とを具備し、
前記モニタ手段は、予め定められた時間毎に前記各領域内の蓄積状態を順番にモニタ出力させ、且つ、蓄積開始直後と蓄積開始後一定の時間が経過した後とで、前記予め定められた時間を異ならせることを特徴とする光電変換装置。
【請求項２】  前記複数の領域の夫々には、複数の前記光電変換素子が配置されていることを特徴とする請求項１に記載の光電変換装置。
【請求項３】  前記複数の光電変換素子は連続した二次元的な広がりを有するエリア型のセンサを構成することを特徴とする請求項１に記載の光電変換装置。
【請求項４】  前記モニタ出力とは、各領域に含まれる光電変換素子中、最大の蓄積電荷量に基づいた信号であることを特徴とする請求項１に記載の光電変換装置。
【請求項５】  前記モニタ手段は、前記モニタ出力のタイミングに待ち時間を設けることにより、前記予め定められた時間を異ならせることを特徴とする請求項１に記載の光電変換装置。
【請求項６】  前記モニタ手段は、前記モニタ出力のタイミングを制御するクロック信号を変化させることにより、前記予め定められた時間を異ならせることを特徴とする請求項１に記載の光電変換装置。
【請求項７】  複数の領域に分割された複数の光電変換素子と、
前記複数の領域内の光電変換素子の蓄積を開始させるための蓄積開始手段と、
前記各領域内の光電変換素子の蓄積状態を順番にモニタ出力させるモニタ手段と、
前記順番に出力されたモニタ出力を予め定められた値と比較することにより、該モニタ出力に対応した領域の光電変換素子の蓄積を終了させるべきか否かを判定する判定手段と、
前記判定手段により蓄積を終了させるべきであると判定されたときに、前記モニタ出力に対応した領域の光電変換素子の蓄積を終了させる蓄積終了手段と、
前記分割された夫々の領域の各光電変換素子である各画素の信号を読み出す読み出し手段と、
前記読み出し手段により読み出された各画素の信号を演算することにより被写体の焦点検出を行う検出手段とを具備し、
前記モニタ手段は、予め定められた時間毎に前記各領域内の蓄積状態を順番にモニタ出力させ、且つ、蓄積開始直後と蓄積開始後一定の時間が経過した後とで、前記予め定められた時間を異ならせることを特徴とする焦点検出装置。
【請求項８】  前記複数の領域の夫々には、複数の前記光電変換素子が配置されていることを特徴とする請求項７に記載の焦点検出装置。
【請求項９】  前記複数の光電変換素子は連続した二次元的な広がりを有するエリア型のセンサを構成することを特徴とする請求項７に記載の焦点検出装置。
【請求項１０】  前記モニタ出力とは、各領域に含まれる光電変換素子中、最大の蓄積電荷量に基づいた信号であることを特徴とする請求項７に記載の焦点検出装置。
【請求項１１】  前記モニタ手段は、前記モニタ出力のタイミングに待ち時間を設けることにより、前記予め定められた時間を異ならせることを特徴とする請求項７に記載の焦点検出装置。
【請求項１２】  前記モニタ手段は、前記モニタ出力のタイミングを制御するクロック信号を変化させることにより、前記予め定められた時間を異ならせることを特徴とする請求項７に記載の焦点検出装置。
【手続補正２】
【補正対象書類名】明細書
【補正対象項目名】００１０
【補正方法】変更
【補正の内容】
【００１０】
【課題を解決するための手段】
上述した課題を解決し、目的を達成するために、本発明に係わる光電変換装置は、複数の領域に分割された複数の光電変換素子と、前記複数の領域内の光電変換素子の蓄積を開始させるための蓄積開始手段と、前記各領域内の光電変換素子の蓄積状態を順番にモニタ出力させるモニタ手段と、前記順番に出力されたモニタ出力を予め定められた値と比較することにより、該モニタ出力に対応した領域の光電変換素子の蓄積を終了させるべきか否かを判定する判定手段と、前記判定手段により蓄積を終了させるべきであると判定されたときに、前記モニタ出力に対応した領域の光電変換素子の蓄積を終了させる蓄積終了手段とを具備し、前記モニタ手段は、予め定められた時間毎に前記各領域内の蓄積状態を順番にモニタ出力させ、且つ、蓄積開始直後と蓄積開始後一定の時間が経過した後とで、前記予め定められた時間を異ならせることを特徴としている。
【手続補正３】
【補正対象書類名】明細書
【補正対象項目名】００１３
【補正方法】変更
【補正の内容】
【００１３】
また、この発明に係わる光電変換装置において、前記モニタ出力とは、各領域に含まれる光電変換素子中、最大の蓄積電荷量に基づいた信号であることを特徴としている。
【手続補正４】
【補正対象書類名】明細書
【補正対象項目名】００１４
【補正方法】変更
【補正の内容】
【００１４】
また、この発明に係わる光電変換装置において、前記モニタ手段は、前記モニタ出力のタイミングに待ち時間を設けることにより、前記予め定められた時間を異ならせることを特徴としている。
【手続補正５】
【補正対象書類名】明細書
【補正対象項目名】００１５
【補正方法】変更
【補正の内容】
【００１５】
また、この発明に係わる光電変換装置において、前記モニタ手段は、前記モニタ出力のタイミングを制御するクロック信号を変化させることにより、前記予め定められた時間を異ならせることを特徴としている。
【手続補正６】
【補正対象書類名】明細書
【補正対象項目名】００１６
【補正方法】変更
【補正の内容】
【００１６】
また、本発明に係わる焦点検出装置は、複数の領域に分割された複数の光電変換素子と、前記複数の領域内の光電変換素子の蓄積を開始させるための蓄積開始手段と、前記各領域内の光電変換素子の蓄積状態を順番にモニタ出力させるモニタ手段と、前記順番に出力されたモニタ出力を予め定められた値と比較することにより、該モニタ出力に対応した領域の光電変換素子の蓄積を終了させるべきか否かを判定する判定手段と、前記判定手段により蓄積を終了させるべきであると判定されたときに、前記モニタ出力に対応した領域の光電変換素子の蓄積を終了させる蓄積終了手段と、前記分割された夫々の領域の各光電変換素子である各画素の信号を読み出す読み出し手段と、前記読み出し手段により読み出された各画素の信号を演算することにより被写体の焦点検出を行う検出手段とを具備し、前記モニタ手段は、予め定められた時間毎に前記各領域内の蓄積状態を順番にモニタ出力させ、且つ、蓄積開始直後と蓄積開始後一定の時間が経過した後とで、前記予め定められた時間を異ならせることを特徴としている。
【手続補正７】
【補正対象書類名】明細書
【補正対象項目名】００１９
【補正方法】変更
【補正の内容】
【００１９】
また、この発明に係わる焦点検出装置において、前記モニタ出力とは、各領域に含まれる光電変換素子中、最大の蓄積電荷量に基づいた信号であることを特徴としている。
【手続補正８】
【補正対象書類名】明細書
【補正対象項目名】００２０
【補正方法】変更
【補正の内容】
【００２０】
また、この発明に係わる焦点検出装置において、前記モニタ手段は、前記モニタ出力のタイミングに待ち時間を設けることにより、前記予め定められた時間を異ならせることを特徴としている。
【手続補正９】
【補正対象書類名】明細書
【補正対象項目名】００２１
【補正方法】変更
【補正の内容】
【００２１】
また、この発明に係わる焦点検出装置において、前記モニタ手段は、前記モニタ出力のタイミングを制御するクロック信号を変化させることにより、前記予め定められた時間を異ならせることを特徴としている。